(57)【要約】【課題】排紙トレイを装置本体に収納したとき、排紙トレイを所定の位置に保持するため及び排紙トレイを回動したときのクリック感を与えるためのストッパーの背後より付勢するねじりコイルばねの組込み性を向上させるため。【解決手段】上記ねじりコイルばねの一端が係合するリブの正面（係合面）に斜面を形成させ、トレイケースに組み込む際不意に引っ掛かること無くねじりコイルばねを所定の位置に導くようにした。【選択図】　　　　図１
2004123345.tif 000002
【特許請求の範囲】
【請求項１】
シートを排出する装置本体に移動操作可能に備えられて、前記装置本体から排出されるシートを順次積載するトレイにであって、前記装置本体と前記トレイとの対向部の一方に設けられた起伏部と、前記装置本体と前記トレイとの対向部の他方に設けられて、前記トレイの移動動作に伴ない前記起伏部によって弾性変形されることにより、前記トレイの移動操作にクリック感を与える弾性ストッパーと、前記ストッパーを前記起伏部との対向方向に付勢するコイルばねとを備えたトレイにおいて、コイルばねの一端が係合する取付けリブの前面（挿入面）に傾斜面を形成させたことを特徴とするトレイ。
【発明の詳細な説明】
【０００１】
【発明の属する技術分野】
本発明は、記録装置より排出される記録紙などのシートを順次積載可能なトレイに関するものである。なお、本発明は、一般的なプリント装置のほか、複写機、通信システムを有するファクシミリ、プリント部を有するワードプロセッサ等の装置、さらには各種処理装置と複合的に組み合わされた産業用記録装置に適用することができる。
【０００２】
【従来の技術】
記録装置の本体から排出される画像記録済みの記録紙を順次積載可能なトレイとしては、例えば図１のように記録装置の本体（以下「装置本体」ともいう）に回動操作可能に保持される排紙トレイ（図１中で１、２、３、４、を総称して呼ぶ）がある。トレイケース１の両側部のそれぞれに回転軸１ｅが設けられており、それらの回転軸１ｅが下ケース６の軸受け６ａに回転可能にかん合することによって、排紙トレイが装置本体に回動操作可能に保持される。排紙トレイの使用時は、それを装置本体の前方側へ回動操作して装置本体における排紙用の開口部を開成させることにより、その開口部から排出される記録紙を排紙トレイに順次集積可能とする。
【０００３】
排紙トレイは上述したようにトレイケース１、トレイ蓋２、補助トレイ３および補助トレイ４により構成される。トレイ蓋２の裏面には補助トレイ３および補助トレイ４が摺動自在に格納されているので（図２）、印刷する記録紙のサイズに合わせて、補助トレイ３及び補助トレイ４を引き出すことが可能となる。
【０００４】
図３は従来のトレイの内部構造簡略図である。トレイケース１の両側部のそれぞれには、弾性のストッパーが一体成形されている。ストッパーは弾性片部１ｃとその弾性片部１ｃの自由端に設けられた先端部１ｄとを含む構成とされており、その先端部１ｄが装置本体側の起伏部に圧接する。ストッパーの先端部１ｄは排紙トレイが排紙用の開口部を閉成すべく装置本体内に収納されたときに、装置本体側の起伏部とかん合して排紙トレイを収納状態に保持する。また、ストッパーは排紙トレイの回動位置に応じて、装置本体側の起伏部により弾性変形されることにより、排紙トレイの回動操作にクリック感の抵抗力を与えて排紙トレイの回動に必要な操作力の大きさを設定する。そのために、ストッパーの背後側（トレイケース１の内側）には、ストッパーを装置本体側の起伏部との圧接方向に付勢するためのねじりコイルばね１３及び１４が備えられている。
【０００５】
図４は図３で、矢印Ｘ方向よりトレイケース１内部をみた拡大図である。
【０００６】
図４に示すようにねじりコイルばね１４の一端が上記ストッパーの背後に圧接し、他端がトレイケースに設けられた取付けリブ１ａに圧接することにより、上述した必要な操作力を発揮するような構成であった。
【０００７】
【発明が解決しようとする課題】
しかしながら、上記従来例においてはねじりコイルばね１４の一端を取りつけリブ１ａに係合するときに、ねじりコイルばねの一端が図４で破線で示した位置で保持してしまい（途中で引っ掛かる）、必要な操作力を発揮できないことも少なくなかった。本来、ねじりコイルばね１４の一端は取付けリブ１ａの１ａａ部に係合しなければならない。
【０００８】
本発明は、以上の点に着目して成されたもので、排紙トレイを装置本体に収納したとき、排紙トレイを所定の位置に保持するため及び排紙トレイを回動したときのクリック感を与えるためのストッパーの背後より付勢するねじりコイルばねの組込み性を向上させるためのトレイを提供することを目的とする。
【０００９】
【課題を解決するための手段】
上記目的を達成するために本発明においては、トレイケースの取付けリブの正面（ねじりコイルばねを挿入する面）に斜面を形成させた。
【００１０】
すなわち、本発明の技術内容は以下の構成を備えることにより前記課題を解決できた。
【００１１】
（１）シートを排出する装置本体に移動操作可能に備えられて、前記装置本体から排出されるシートを順次積載するトレイにであって、前記装置本体と前記トレイとの対向部の一方に設けられた起伏部と、前記装置本体と前記トレイとの対向部の他方に設けられて、前記トレイの移動動作に伴ない前記起伏部によって弾性変形されることにより、前記トレイの移動操作にクリック感を与える弾性ストッパーと、前記ストッパーを前記起伏部との対向方向に付勢するコイルばねとを備えたトレイにおいて、コイルばねの一端が係合する取付けリブの前面（挿入面）に傾斜面を形成させたことを特徴とするトレイ。
【００１２】
【発明の実施の形態】
【００１３】
【第１実施例】
以下、図面を参照して本発明に係るトレイの一実施形態について説明する。
【００１４】
図５は本発明を実施したトレイの外観斜視図であり、図６は図５で矢印Ｙ方向よりトレイケース１５をみた拡大図である。
【００１５】
図６に示すように、取付けリブ１５ｄの前面には係斜面１５ａが形成されるので、ねじりコルばね１４の一端を取付リブ１５ｄに係合するとき斜面１５ａに突き当てれば、途中で引っ掛かることなくねじりコイルばね１４はその反力（開こうとする力）により斜面１５ａを上り所定の位置１５ａａに案内される。なお、反対側も同形状であることは言うまでもない（左右対称形状）。
【００１６】
【発明の効果】
以上説明したように、トレイケース１５の取付けリブ１５ｄの前面に斜面１５ａを形成させることにより、ねじりコイルばね１４の一端を取付けリブ１５ｄに係合する際に引っ掛かることなくねじりコイルばね１４の一端が所定の位置１５ａａに案内され、設定した操作力を得ることができる（ねじりコイルばね１３及び１４の組立性向上）。
【図面の簡単な説明】
【図１】装置本体の斜視図
【図２】排紙トレイの外観斜視図
【図３】従来のトレイケースの内部構造間略図
【図４】図３におけるＸ矢印方向からみたトレイケースの内部拡大図
【図５】本発明を実施したトレイケースの内部構造簡略図
【図６】図５におけるＹ矢印方向からみたトレイケースの内部拡大図
【符号の説明】
１，１５　トレイケース
２　トレイ蓋
３　補助トレイ
４　補助トレイ
５　上ケース
６　下ケース
７　アクセスカバー
８　電源キー
９　ＬＥＤ
１０　リジュームキ
１１　給紙装置（ＡＳＦ）
１２　紙間調整レバー
１３　ねじりコイルばね
１４　ねじりコイルばね
【図１】
2004123345.tif 000003
【図２】
2004123345.tif 000004
【図３】
2004123345.tif 000005
【図４】
2004123345.tif 000006
【図５】
2004123345.tif 000007
【図６】
2004123345.tif 000008